【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
画像を構成する画素毎に設定され、当該画素の属性を示す属性情報を入力する入力手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記入力手段が入力した属性情報中の予め定められたビットの値が、予め定められた値であればカウントするカウント手段と、
前記符号量監視手段が求めた総符号量が予め定められた量に達した時に、前記カウント値に基づいて、それ以降に前記入力手段が入力する属性情報中の予め定められたビットの値を変更する変更手段と、
前記符号化手段に、前記変更手段により変更された属性情報を符号化させる符号化制御手段と、
前記符号化手段による符号化結果を出力する出力手段と
を備えることを特徴とする画像符号化装置。
【請求項２】
前記カウント手段は、
属性情報において第１のビットの値が第１の属性を示す値であればカウントする第１のカウント手段と、
前記第１のビットの値が第２の属性を示す値であればカウントする第２のカウント手段とを備え、
前記変更手段は、前記符号量監視手段が求めた符号量が予め定められた量に達した時に、それまでで前記入力手段が入力した属性情報群のうち第１の属性を示すものが多いのか第２の属性を示すものが多いのかを、前記第１のカウント手段によるカウント値と前記第２の手段によるカウント値との大小関係に基づいて判断する判断手段と、
前記判断手段による判断の結果、第１の属性を示すものが多いと判断した場合には、前記符号量監視手段が求めた符号量が予め定められた量に達した時以降前記入力手段が入力する属性情報中の第１のビットの値を第１の属性を示す値に変更し、第２の属性を示すものが多いと判断した場合には、前記符号量監視手段が求めた符号量が予め定められた量に達した時以降前記入力手段が入力する属性情報中の第１のビットの値を第２の属性を示す値に変更することを特徴とする請求項１に記載の画像符号化装置。
【請求項３】
前記カウント手段は、属性情報において第１の属性を示す値、第２の属性を示す値の何れかを取る第１のビットの値が予め定められた値であればカウントし、
前記変更手段は、前記符号量監視手段が求めた符号量が予め定められた量に達した場合には、それまでで前記入力手段が入力した属性情報群のうち第１の属性を示すものが多いのか第２の属性を示すものが多いのかを、前記カウント手段がカウントしたカウント値と閾値との大小関係に基づいて判断する判断手段と、
前記判断手段による判断の結果、第１の属性を示すものが多いと判断した場合には、前記符号量監視手段が求めた符号量が予め定められた量に達した時以降前記入力手段が入力する属性情報中の第１のビットの値を第１の属性を示す値に変更し、第２の属性を示すものが多いと判断した場合には、前記符号量監視手段が求めた符号量が予め定められた量に達した時以降前記入力手段が入力する属性情報中の第１のビットの値を第２の属性を示す値に変更することを特徴とする請求項１に記載の画像符号化装置。
【請求項４】
前記第１の属性は文字属性、前記第２の属性は写真属性であることを特徴とする請求項２又は３に記載の画像符号化装置。
【請求項５】
前記第１の属性は有彩色、前記第２の属性は無彩色であることを特徴とする請求項２又は３に記載の画像符号化装置。
【請求項６】
画像を構成する画素毎に設定され、当該画素の属性を示す属性情報を入力する入力手段と、
前記入力手段が入力した属性情報を保持する保持手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記入力手段が入力した属性情報中の予め定められたビットの値が、予め定められた値であればカウントするカウント手段と、
前記符号量監視手段が求めた総符号量が予め定められた量に達した時に、前記カウント値に基づいて、前記保持手段に保持されている属性情報中の予め定められたビットの値を変更する第１の変更手段と、
前記符号量監視手段が求めた符号量が予め定められた量に達した時に、前記カウント値に基づいて、それ以降前記入力手段が入力する属性情報中の予め定められたビットの値を変更する第２の変更手段と、
前記符号化手段に、前記第１、２の変更手段による変更後の属性情報を符号化させる符号化制御手段と、
前記符号化手段による符号化結果を出力する出力手段と
を備えることを特徴とする画像符号化装置。
【請求項７】
画像を構成する画素毎に設定され、当該画素の属性を示す属性情報を入力する入力手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記符号量監視手段が求めた総符号量が予め定められた量に達した時に、前記入力手段が入力する属性情報中の予め定められたビットの値を指示された値に変更する変更手段と、
前記符号量監視手段が求めた総符号量が予め定められた量に達した時以降、前記符号化手段に、前記変更手段により変更後の属性情報を符号化させる符号化制御手段と、
前記符号化手段による符号化結果を出力する出力手段と
を備えることを特徴とする画像符号化装置。
【請求項８】
更に、前記属性情報中の予め定められたビットの位置を指示する指示手段を備えることを特徴とする請求項７に記載の画像符号化装置。
【請求項９】
画像を構成する画素毎に設定され、当該画素の属性を示す属性情報を入力する入力工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記入力工程で入力した属性情報中の予め定められたビットの値が予め定められた値であればカウントするカウント工程と、
前記符号量監視工程で求めた総符号量が予め定められた量に達した時に、前記カウント値に基づいて、それ以降に前記入力工程で入力する属性情報中の予め定められたビットの値を変更する変更工程と、
前記符号化工程で、前記変更工程で変更された属性情報を符号化させる符号化制御工程と、
前記符号化工程による符号化結果を出力する出力工程と
を備えることを特徴とする画像符号化方法。
【請求項１０】
画像を構成する画素毎に設定され、当該画素の属性を示す属性情報を入力する入力工程と、
前記入力工程で入力した属性情報を保持する保持工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記入力工程で入力した属性情報中の予め定められたビットの値が予め定められた値であればカウントするカウント工程と、
前記符号量監視工程で求めた総符号量が予め定められた量に達した時に、前記カウント値に基づいて、前記保持工程で保持されている属性情報中の予め定められたビットの値を変更する第１の変更工程と、
前記符号量監視工程で求めた符号量が予め定められた量に達した時に、前記カウント値に基づいて、それ以降前記入力工程で入力する属性情報中の予め定められたビットの値を変更する第２の変更工程と、
前記符号化工程で、前記第１、２の変更工程による変更後の属性情報を符号化させる符号化制御工程と、
前記符号化工程による符号化結果を出力する出力工程と
を備えることを特徴とする画像符号化方法。
【請求項１１】
画像を構成する画素毎に設定され、当該画素の属性を示す属性情報を入力する入力工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記符号量監視工程で求めた総符号量が予め定められた量に達した時に、前記入力工程で入力する属性情報中の予め定められたビットの値を指示された値に変更する変更工程と、
前記符号量監視工程で求めた総符号量が予め定められた量に達した時以降、前記符号化工程で、前記変更工程により変更後の属性情報を符号化させる符号化制御工程と、
前記符号化工程による符号化結果を出力する出力工程と
を備えることを特徴とする画像符号化方法。
【請求項１２】
コンピュータに請求項９乃至１１の何れか１項に記載の画像符号化方法を実行させる為のプログラム。
【請求項１３】
請求項１２に記載のプログラムを格納した、コンピュータ読み取り可能な記憶媒体。
【手続補正２】
【補正対象書類名】明細書
【補正対象項目名】０００７
【補正方法】変更
【補正の内容】
【０００７】
即ち、画像を構成する画素毎に設定され、当該画素の属性を示す属性情報を入力する入力手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記入力手段が入力した属性情報中の予め定められたビットの値が、予め定められた値であればカウントするカウント手段と、
前記符号量監視手段が求めた総符号量が予め定められた量に達した時に、前記カウント値に基づいて、それ以降に前記入力手段が入力する属性情報中の予め定められたビットの値を変更する変更手段と、
前記符号化手段に、前記変更手段により変更された属性情報を符号化させる符号化制御手段と、
前記符号化手段による符号化結果を出力する出力手段と
を備えることを特徴とする。
【手続補正３】
【補正対象書類名】明細書
【補正対象項目名】０００９
【補正方法】変更
【補正の内容】
【０００９】
即ち、画像を構成する画素毎に設定され、当該画素の属性を示す属性情報を入力する入力手段と、
前記入力手段が入力した属性情報を保持する保持手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記入力手段が入力した属性情報中の予め定められたビットの値が、予め定められた値であればカウントするカウント手段と、
前記符号量監視手段が求めた総符号量が予め定められた量に達した時に、前記カウント値に基づいて、前記保持手段に保持されている属性情報中の予め定められたビットの値を変更する第１の変更手段と、
前記符号量監視手段が求めた符号量が予め定められた量に達した時に、前記カウント値に基づいて、それ以降前記入力手段が入力する属性情報中の予め定められたビットの値を変更する第２の変更手段と、
前記符号化手段に、前記第１、２の変更手段による変更後の属性情報を符号化させる符号化制御手段と、
前記符号化手段による符号化結果を出力する出力手段と
を備えることを特徴とする。
【手続補正４】
【補正対象書類名】明細書
【補正対象項目名】００１１
【補正方法】変更
【補正の内容】
【００１１】
即ち、画像を構成する画素毎に設定され、当該画素の属性を示す属性情報を入力する入力手段と、
前記入力手段が入力した属性情報を符号化する符号化手段と、
前記符号化手段が符号化した属性情報の符号化データの符号量と、従前に求めた符号量とを加算することにより、総符号量を求める符号量監視手段と、
前記符号量監視手段が求めた総符号量が予め定められた量に達した時に、前記入力手段が入力する属性情報中の予め定められたビットの値を指示された値に変更する変更手段と、
前記符号量監視手段が求めた総符号量が予め定められた量に達した時以降、前記符号化手段に、前記変更手段により変更後の属性情報を符号化させる符号化制御手段と、
前記符号化手段による符号化結果を出力する出力手段と
を備えることを特徴とする。
【手続補正５】
【補正対象書類名】明細書
【補正対象項目名】００１３
【補正方法】変更
【補正の内容】
【００１３】
即ち、画像を構成する画素毎に設定され、当該画素の属性を示す属性情報を入力する入力工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記入力工程で入力した属性情報中の予め定められたビットの値が予め定められた値であればカウントするカウント工程と、
前記符号量監視工程で求めた総符号量が予め定められた量に達した時に、前記カウント値に基づいて、それ以降に前記入力工程で入力する属性情報中の予め定められたビットの値を変更する変更工程と、
前記符号化工程で、前記変更工程で変更された属性情報を符号化させる符号化制御工程と、
前記符号化工程による符号化結果を出力する出力工程と
を備えることを特徴とする。
【手続補正６】
【補正対象書類名】明細書
【補正対象項目名】００１５
【補正方法】変更
【補正の内容】
【００１５】
即ち、画像を構成する画素毎に設定され、当該画素の属性を示す属性情報を入力する入力工程と、
前記入力工程で入力した属性情報を保持する保持工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記入力工程で入力した属性情報中の予め定められたビットの値が予め定められた値であればカウントするカウント工程と、
前記符号量監視工程で求めた総符号量が予め定められた量に達した時に、前記カウント値に基づいて、前記保持工程で保持されている属性情報中の予め定められたビットの値を変更する第１の変更工程と、
前記符号量監視工程で求めた符号量が予め定められた量に達した時に、前記カウント値に基づいて、それ以降前記入力工程で入力する属性情報中の予め定められたビットの値を変更する第２の変更工程と、
前記符号化工程で、前記第１、２の変更工程による変更後の属性情報を符号化させる符号化制御工程と、
前記符号化工程による符号化結果を出力する出力工程と
を備えることを特徴とする。
【手続補正７】
【補正対象書類名】明細書
【補正対象項目名】００１７
【補正方法】変更
【補正の内容】
【００１７】
即ち、画像を構成する画素毎に設定され、当該画素の属性を示す属性情報を入力する入力工程と、
前記入力工程で入力した属性情報を符号化する符号化工程と、
前記符号化工程で符号化した属性情報の符号化データの符号量と、従前に求めた符号量とを加算することにより、総符号量を求める符号量監視工程と、
前記符号量監視工程で求めた総符号量が予め定められた量に達した時に、前記入力工程で入力する属性情報中の予め定められたビットの値を指示された値に変更する変更工程と、
前記符号量監視工程で求めた総符号量が予め定められた量に達した時以降、前記符号化工程で、前記変更工程により変更後の属性情報を符号化させる符号化制御工程と、
前記符号化工程による符号化結果を出力する出力工程と
を備えることを特徴とする。